(57)【要約】  本発明は、マットの表面の任意の表面に消えないデザインを有する人工芝マットを生成するために使用することができる人工芝マット用のマーキングシステムに関し、前記システムは、少なくとも１つのマットを位置決めする手段を含み、かつマットの少なくとも１つの表面に使用することができるプリント手段を備え、この結果、プリント手段を使用して、マットの表面に少なくとも１つのデザインを生成することができる。
2016522341.tif 000002
【特許請求の範囲】
【請求項１】
人工芝マットをマーキングするためのシステム（１）において、前記システムが、少なくとも１つのマット（２）及び前記マット（２）の少なくとも１つの表面の上に適用可能なプリント手段（３）のための位置決め手段（５）を備え、前記プリント手段（３）が前記マット（２）の表面の上に少なくとも１つのモチーフ（４４）を生成できるようにすることを特徴とするシステム（１）。
【請求項２】
前記プリント手段（３）がレーザビーム送信機（３３）を有することを特徴とする、請求項１に記載の人工芝マットをマーキングするためのシステム（１）。
【請求項３】
前記プリント手段（３）が、駆動手段に連結されたミリングヘッド（３１）を有することを特徴とする、請求項１に記載の人工芝マットをマーキングするためのシステム（１）。
【請求項４】
前記駆動手段が電気式エンジン（３２）を備えることを特徴とする、請求項３に記載の人工芝マットをマーキングするためのシステム（１）。
【請求項５】
前記プリント手段（３）が、研磨液ジェット（３８）を生成できる機構（３４）を有することを特徴とする、請求項１に記載の人工芝マットをマーキングするためのシステム（１）。
【請求項６】
前記プリント手段（３）が、研磨砂ジェット（３８）を生成できる機構（３４）を有することを特徴とする、請求項１に記載の人工芝マットをマーキングするためのシステム（１）。
【請求項７】
前記プリント手段（３）が、加熱されることができる原版（３５）を有し、前記原版（３５）が、前記原版（３５）が前記マット（２）の少なくとも１つの表面を押圧できるように前記マット（２）に対して移動可能であることを特徴とする、請求項１に記載の人工芝マットをマーキングするためのシステム（１）。
【請求項８】
前記システムが、前記プリント手段（３）に連結されることができるテンプレート（４３）をさらに備えることを特徴とする、請求項１に記載の人工芝マットをマーキングするためのシステム（１）。
【請求項９】
前記位置決め手段（５）が、前記マット（２）を保持することができる基部（５１）を有し、前記基部（５１）に少なくとも１つの固定要素（５２）が取り付けられることを特徴とする、請求項１に記載の人工芝マットをマーキングするためのシステム（１）。
【請求項１０】
前記方法が、人工芝から作られたマット（２）を位置決めし、次にプリント手段（３）を前記マット（２）に適用する工程を含むことを特徴とする、人工芝マットをマーキングするための方法。
【請求項１１】
テンプレート（４３）が前記マット（２）の上に配置されることを特徴とする、請求項１０に記載の人工芝マットをマーキングするための方法。
【請求項１２】
請求項１０又は１１に記載の人工芝マットをマーキングするための方法を使用してマーキングされた人工芝から作られたマット（２）。
【発明の詳細な説明】
【技術分野】
【０００１】
発明特許に関する本出願の目的は、相当の新考案を組み込む人工芝マットをマーキングするためのシステム及び方法を提供することである。
【０００２】
より詳しくは、本発明は、前記マットの表面のある部分に消えないマーキングを有する人工芝マットを得ることを可能にする人工芝マット用のマーキングシステム及び方法の開発を提案する。
【背景技術】
【０００３】
天然芝の上にマーキング及びモチーフを設けるための適切な方法及びシステム、例えば一連のテンプレート等の後に芝の上に顔料を塗布することが周知である。他の公知の方法は、機械又は工具を使用して、異なる方向又は角度で芝を刈り、刈られた領域内に区別がつく外観を提供することである。芝の表面に置かれたキャンバス等の使用も考えられるが、これには、１回のみ使用されるキャンバスの製造及びラベル張りが伴い、キャンバスは、それらの元の位置から移動され、これらを踏みつけるユーザの事故をもたらす可能性もある。
【０００４】
人工芝に関しては、刈る必要がないので、顔料塗布のような方法を使用すべきである。しかし、時間の経過につれて、天候及び摩耗により、顔料が徐々に人工芝の繊維から消えて剥がれる。キャンバス又は帯及び細片の組み込みのように、人工芝をマーキングするための他の公知の方法があるが、天然芝と同じ不都合が伴う。例えばマット等のような表面の製造中に異なる色合いの人工芝の繊維を使用することも可能であるが、それでも、この方法は製造の複雑さを高める。
【発明の概要】
【発明が解決しようとする課題】
【０００５】
本発明は、前述の問題を解決する人工芝をマーキングするためのシステム及び方法を提供し、さらに、以下の説明から明らかになるであろう他の追加の利点を提供する目的で開発されてきた。
【０００６】
したがって、本発明の目的は、前記プリント手段が前記マットの表面に少なくとも１つのモチーフを生成できるように、前記マットの少なくとも１つの表面に適用可能な少なくとも１つのマット及びプリント手段用の位置決め手段を備える、人工芝をマーキングするためのシステム及び方法を提供することである。
【課題を解決するための手段】
【０００７】
これらの特徴のため、簡単にかつ消えないようにマットのような表面の上にモチーフをプリントすることを可能にするマーキングシステムが得られる。人工芝の前記表面の上方で移動するか又は前記表面で任意の活動を実施するユーザは、永続的にマーキングされたモチーフ、シグナル又は消えないマーキングを指摘しかつ注記することができ、このため、マーキングを繰り返す必要がない。本発明のシステムの使用は、マーキングされるべきマットの寸法決めに関わらず可能であろう。さらに、マーキングされた領域の上方を移動するユーザの安全性が高められ、顔料の塗布、キャンバス、旗又は芝の表面から現れる三次元の物体のような物体の追加を含む従来のシステムと比較して、滑るか又は落下する危険を著しく低減する。
【０００８】
この説明及び特許請求の範囲において、「マット」という用語は、その寸法に関わらず任意の人工芝の表面を指すと解釈されるべきであることを指摘したい。
【０００９】
前記プリント手段は、レーザビーム送信機、電気式エンジンを備えてもよい駆動手段に連結されたミリングヘッド、研磨液のジェットを生成できる機構、研磨砂のジェットを生成できる機構等の実施形態の提示に応じて変更し得るか、あるいは加熱されることができる原版に取り付けることが可能であり、前記原版は、前記原版が前記マットの少なくとも１つの表面を押圧することができるようにマットに対して移動可能である。
【００１０】
プリント手段は、テンプレートに連結して、マットのマーキングパターンに追従することができる。他方、前記位置決め手段は、前記マットを保持できる基部を有し、前述基部には、少なくとも１つの固定要素が取り付けられる。
【００１１】
本発明の他の目的は、人工芝マットを位置決めし、次に前記マットの上にプリント手段を適用する工程を含む人工芝マットをマーキングするための方法である。追加して、本方法は、プリント手段を適用する前に、前記マットの上にテンプレートを配置する手段を含み得る。
【００１２】
本発明の追加の目的は、上に言及しかつ記載した人工芝マットをマーキングするための方法を使用してマーキングされる人工芝マットである。
【００１３】
本発明の人工芝マット対象物をマーキングするためのシステムの他の特徴及び利点は、添付図面の非限定的な実施例によって示される、非排他的であるが、それにもかかわらず好ましい実施形態の説明から明白となるであろう。
【図面の簡単な説明】
【００１４】
【図１】本発明の人工芝マット対象物をマーキングするためのシステムの第１の実施形態の概略斜視図である。
【図２】本発明の人工芝マット対象物をマーキングするためのシステムの第２の実施形態の概略斜視図である。
【図３】本発明の人工芝マット対象物をマーキングするためのシステムの第３の実施形態の概略斜視図である。
【図４】本発明の人工芝マット対象物をマーキングするためのシステムの第４の実施形態の概略斜視図である。
【発明を実施するための形態】
【００１５】
上記の図に鑑みて、また採用した記数法にしたがって、以下のセクションに詳細に示しかつ説明する部分及び要素を含む本発明の好ましい実施形態の実施例を観察することができる。
【００１６】
図１には、参照番号１によって一般に示される人工芝マットをマーキングするためのシステムに関する本発明の第１の実施形態が示されている。人工芝マットをマーキングするためのこのシステム１は、前記マット２の位置決め手段５と、例えば前記マット２の表面に適用可能なプリント手段３とを備える。前記プリント手段３は、モチーフ４４又は一連のモチーフ４４を前記マット２の表面に生成するために使用することができる。
【００１７】
優先的に、前記位置決め手段５は、前記マット２を保持することができる基部５１を有し、前述の基部５１には、１対の固定要素５２が取り付けられる。本発明の実施形態では、２つの固定要素５２が考えられるが、各々の場合の特定の必要に応じて、異なる数を使用し得ることが明らかである。代替方法として、位置決め手段５は、ユーザがマット２に対してプリント手段３を正確に関係付けることを可能にする任意の構成であることができるであろう。
【００１８】
優先的に、プリント手段３は、例えば電気式エンジン３２を備え得る駆動手段に連結されたミリングヘッド３１を有する。ミリングヘッド３１及び電気式エンジン３２は、アーム３７等を使用して適所に締結保持されるが、前記アーム３７を、例えばコラムで、又は同様の機能を果たす他の任意の要素で置き換えることができるであろうことが当業者には明らかであろう。
【００１９】
この図１には、前記プリント手段３に連結されることができるテンプレート４３も示されている。このテンプレート４３は、プリント手段３によるマット２のマーキングの際にユーザ用のガイドラインとして働くことができ、それにもかかわらず、案内かつ制御されるプリント手段３を自動化アーム３７によって使用し、例えば、従来技術で利用可能な数値制御の電子システムによって案内することが可能である。
【００２０】
続いて図２では、プリント手段３がレーザビーム送信機３３を有する第２の実施形態を見ることができる。図１と同様に、レーザビーム送信機３３を保持することができる自動化アーム３７も、この図に示されている。当業者は、前記目的に適切であり得る、言い換えれば、消えないモチーフ４４をマット２の表面の上に生成できる市場で入手可能な任意の送信機の中から、このような送信機３３を選択することが可能である。レーザビームＬの表示を送信機３３から見ることができる。
【００２１】
図３に、本発明の第３の実施形態を見ることができ、プリント手段３は、研磨剤ジェット３８を生成できる機構３４を有し、前記研磨剤ジェット３８は液体又は砂である。機構３４は、前記機能を達成することができる市場で入手可能な任意の機構であり得、この理由で、我々は、この機構３４に関してこれ以上詳述しない。
【００２２】
図４に、本発明の第４の実施形態が示されており、プリント手段３は、加熱されることができる原版３５を有し、前記原版３５は、前記原版３５が前記マット２の少なくとも１つの表面を押圧できるように、マット２に対して移動することが可能である。マット２に対して原版３５の相対運動を可能にするために、ガイド３６が設けられ、それに沿って原版組立体３５が移動する。前記ガイド３６はアーム３７に取り付けられる。代替方法として、ガイド３６を必要とすることなく原版３５を移動させることができるアーム３７を設置することができる。原版３５の加熱に関して、例えば原版３５の内部に設置された抵抗等のような公知の方法を使用することが可能である。前記原版３５は、このために適切な任意の材料から製造できるであろう。
【００２３】
ユーザが人工芝マット２をマーキングすることを望むときに、常に、このマットを基部５１に位置決めすることが好ましく、固定要素５２により有利に適所に保持することが可能である。これに続き、ユーザは、プリント手段３をプログラムするか又は追従されるパターンを有するテンプレート４３等を使用することが可能であり、代替方法として、前記プリント手段３はプログラム可能でない。図１に示した第１の実施形態の例では、ミリングヘッド３１はマット２の表面と接触し、かつ研磨動作を開始して、ユーザの必要に応じて消えないようにモチーフ４４をマーキングする。本発明の実施形態に記載した代替例の残りにより、ユーザはまた、ゴルフをするときに好ましくは使用されるマットと同様のマット２を得るであろう。このようにして、ゴルフコースで使用されるマット２のユーザは、迅速で、確実かつ安全な方法の範囲内で、例えば方向、強度、又は使用されるべき好ましいクラブのようなゴルフプレーのための表示を提供することができる標識の形態の一連のモチーフ４４を有するであろうが、それにもかかわらず、ユーザに有用な他のタイプの表示を見落とすべきではない。
【００２４】
本発明の詳細、形状、寸法及び他の補助要素、ならびに人工芝マットにマーキングするためのシステム１及び方法の製造で使用される材料は、技術的にそれらの等価物であり、かつ本発明の重要な性質又は以下に含まれる特許請求の範囲によって規定された範囲を逸脱しない他のもので好都合に置き換えることが可能である。
【図１】
2016522341.tif 000003
【図２】
2016522341.tif 000004
【図３】
2016522341.tif 000005
【図４】
2016522341.tif 000006
【国際調査報告】
2016522341.tif 000007
2016522341.tif 000008
2016522341.tif 000009
2016522341.tif 000010
2016522341.tif 000011
2016522341.tif 000012